(57)【要約】      （修正有）【課題】使用者にあたかも光る水時計を見ているかのような美観を感じさせるだけでなく、使用者が設定した計測時間を実際に計測できるという実用的用途をも併せて発揮することができる装飾用発光置物を提供する。【解決手段】制御部が、使用者が設定した測定時間に従って、頭部３、胴部４、及びくびれ部２を有する半透明性の胴体部材内に配列して設けられた発光部の発光パターンを制御することによって、頭部発光集合体２２が頭部から光る液滴を落下させながら胴部に胴部発光集合体２３が徐々に大きくなりながら貯留される様子を表現することができる。【選択図】図１
0003179467.tif 000002
【実用新案登録請求の範囲】
【請求項１】
電気信号によって発光する発光部を内部に備えた装飾用発光置物であって、
中央部に形成されたくびれ部と、前記くびれ部から上方に向かって滑らかに拡径して形成された頭部と、前記くびれ部から下方に向かって滑らかに拡径して形成された胴部とを有し、前項胴部の下端面は卓上面等に戴置可能に形成されると共に、前記発光部からの放射光を乱反射させながら外部に透過可能な半透明性を有する樹脂若しくはガラスが用いられてなる本体部材と、
前記本体部材の内部において、上下方向に設置された基板とを有し、
前記基板の正面には、前記発光部が複数配列して取り付けられ、
前記本体部の内部又は外部には、前記複数の発光部をそれぞれ電気信号による命令によって制御可能な制御部が備えられてなり、
前記複数の発光部は、前記制御部からの命令を受けて、前記頭部内において発光して一塊の頭部発光集合体を形成し、時間が経過するに伴って前記頭部発光集合体の一部が連続的又は断続的に頭部からくびれ部を通って胴部に移動すると共に頭部発光集合体は徐々に小さくなり、胴部に移動した発光は見かけ上胴部の底部から徐々に胴部内に貯留され、一定時間経過後には胴部内において一塊の胴部発光集合体が形成されて見える
ことを特徴とする装飾用発光置物。
【考案の詳細な説明】
【技術分野】
【０００１】
本願考案は、室内用の装飾品であって、当該本体内部に電気信号によって発光可能な発光部を備える装飾用発光置物に関する。
【背景技術】
【０００２】
室内用の装飾品としては種々の考案が公開されている。特に近年においては、装飾品が発光部を備えることにより、発光部が発光することによって暗い室内であっても美観に優れた装飾品が考案されている。
【先行技術文献】
【特許文献】
【０００３】
【特許文献１】実用新案登録第３０９６１６６号
【考案の概要】
【考案が解決しようとする課題】
【０００４】
しかし、従来技術における発光部を備える装飾品は、発光部による発光には見た目の美しさに重点が置かれており、実用性に乏しく、その従来の装飾品が有する美観に共感しない購買層には購買意欲を生じさせることはできなかった。
【０００５】
また、発光部とは別に例えばデジタル表示式の時計を備えることによって実用性を兼ね備える物品も開発されているが、かえって装飾品としての美観を損ねる場合が多かった。
【課題を解決するための手段】
【０００６】
そこで、上記課題を解決するための手段として本願実用新案に係る装飾用発光置物は、電気信号によって発光する発光部を内部に備えた装飾用発光置物であって、中央部に形成されたくびれ部と、前記くびれ部から上方に向かって滑らかに拡径して形成された頭部と、前記くびれ部から下方に向かって滑らかに拡径して形成された胴部とを有し、前項胴部の下端面は卓上面等に戴置可能に形成されると共に、前記発光部からの放射光を乱反射させながら外部に透過可能な半透明性を有する樹脂若しくはガラスが用いられてなる本体部材と、前記本体部材の内部において、上下方向に設置された基板とを有し、前記基板の正面には、前記発光部が複数配列して取り付けられ、前記本体部の内部又は外部には、前記複数の発光部をそれぞれ電気信号による命令によって制御可能な制御部が備えられてなり、前記複数の発光部は、前記制御部からの命令を受けて、前記頭部内において発光して一塊の頭部発光集合体を形成し、時間が経過するに伴って前記頭部発光集合体の一部が連続的又は断続的に頭部からくびれ部を通って胴部に移動すると共に頭部発光集合体は徐々に小さくなり、胴部に移動した発光は見かけ上胴部の底部から徐々に胴部内に貯留され、一定時間経過後には胴部内において一塊の胴部発光集合体が形成されて見えることを特徴とする。
【０００７】
本願考案の本体部材は、中央部に形成されたくびれ部と頭部、及び胴部とを有することにより、水時計を連想する外観を有する。
【０００８】
基板は、面積の広い基板の正面が本体部材の下端面と略垂直となるように立設されていることが好ましい。基板は、発光部が上下方向に一列に配列可能な略矩形状に形成され、発光部からの発光を上下方向に切替え制御可能に構成されていることが好ましい。また、基板の上部が幅広に形成された上幅広部として本体部材の頭部内に、基板の中央部が幅狭に形成された幅狭部としてくびれ部内に、及び基板の下部が幅広に形成された下幅広部として胴部内にそれぞれ対応するように収納されていても好ましい。基板が上幅広部、幅狭部、及び下幅広部とから形成されることによって、発光部を本体部材の頭部及び胴部の幅方向にも配列させることができ、発光の制御パターンを幅方向にも拡張させることができるからである。
【０００９】
また、基板は必ずしも本体部材の下端面に支持されて立設されている必要は無く、例えば本体部材の内背面に支持される、または貼り付けられることによって設置されていても好ましい。基板が本体部材のない背面に貼り付けられる場合には、基板は柔らかい樹脂材料若しくは本体部材の内背面の形状に沿った形状に形成された樹脂板等によって形成されていることが好ましい。基板が本体部材の内背面に近いほど発光部から放射される発光の本体部材への照射範囲を広くすることができ、使用者が本体部材外部から発光集合体を視認することができる背面方向への角度を広げることができるからである。また、基板を本体部材の内正面に沿って設置することによっても同様の効果を得ることができ、このような基板の設置方法も本願考案の構成要件に含めることができる。
【００１０】
基板に備えられた発光部は電球を用いても良いが、より好ましくは発光ダイオード（ＬＥＤ）を用いることが好ましい。ＬＥＤを用いれば数ｍｍ間隔で多数の発光部を基板上に配列させることができるため、電球よりもより微細な発光パターンを制御部によって形成することができるからである。
【００１１】
本体部材の周壁は半透明性を有する樹脂若しくはガラスによって形成されてなる。これにより、制御部が電気信号を送ることにより一又は隣接した複数の発光部を発光させると、使用者には本体部材の外部からは発光部の形状を直接見られることがなく、発光部から放射された光が本体部材を形成する樹脂中を透過する間に乱反射しながら形成する光の像のみを見せることができる。また、本体部材が半透明性であることによって、発光部から放射された光は輪郭のぼやけた発光集合体を形成することができる。なお、発光集合体の大きさは、発光する発光部の数、若しくは発光部から放射される光の強度、あるいはそのどちら共を同時に制御部が制御することによって調節することができる。
【００１２】
このような発光集合体を形成する効果により、制御部が例えば基板の上部に備えられた複数の発光部を発光させると本体部材の頭部全体が一塊の光の集合体（頭部発光集合体）として光っているように見せることができる。また、頭部発光集合体を形成した後に、時間の経過と共に頭部発光集体の上端部を形成する発光部を消光又は減光させると共に、基板の中央部に備えられた発光部を上方から下方に向かって順番に点灯させることによって、頭部発光集合体を形成する光が本体部材のくびれ部を通って徐々に胴部へと移動していくかのように見せることができる。
【００１３】
このとき制御部が、発光部を頭部発光集合体の下部分が光る液滴のように振る舞い、頭部発光集合体から途切れることなく連続的に移動していくかのように制御することで、使用者に発光集合体が粘性のある光る物体であるように見せることができると共に、当該発光集合体が徐々に形状を変化させながら下方に移動するかのような演出を実現することができる。
【００１４】
また、頭部発光集合体を下方へ移動させる際には必ず発光集合体は全てが連続している必要は無く、基板の上部で発光する発光部と基板の中央部で発光する発光部との間の発光部を一部消光又は減光するように制御部が発光部を制御することによって、光る液滴が発光集合体から断続的に移動するかのように演出しても好ましい。このように制御部が発光部の発光を制御することにより、使用者に発光集合体が粘性の低い光る液体であるように見せることができると共に、前記光る液体から光る液滴が下方に移動するかのような演出を実現することができる。
【００１５】
そして、前述したように、本体部材が半透明性を有するため、本体部材外部から本願考案を見る使用者には発光部の形状を直接視認させることなく、発光集合体の移動に伴う形状の変化のみを見せることができる。そのため使用者には発光部の存在を意識させることが無く、前述の頭部発光集合体の変化は、本体部材の頭部全体に貯留されていた一塊の光の集合体が、あたかも重力によってくびれ部を通って徐々に落下していくかのような演出を実現することができる。
【００１６】
さらに、本願考案は発光部とは別に時間表示機能を有する時計等を備えなくても、発光部が形成する発光集合体自体が一定時間の経過を使用者に知らせる水時計と同等の機能を発揮することができる。すなわち、頭部発光集合体が一定時間経過後には全てくびれ部を通って胴部内に貯留され、胴部内において一塊の胴部発光集合体を形成するように制御することによって、発光集合体を水時計に使用される液体と同様の動作をさせることができる。
【考案の効果】
【００１７】
本願考案によれば、発光部が形成する発光集合体によって光る装飾品として高い美観を発揮すると共に、発光集合体自体が水時計として一定時間の経過を使用者に知らせる機能を備えさせることができる。
【００１８】
そのため、発光装飾品が発揮する美観を損なうことなく、一定時間の経過を知らせることができるという実用性をも備える。
【００１９】
さらに、従来の装飾機能のみを有する発光装飾品よりも幅広い購買層に対して購買意欲を生じさせることができる。
【図面の簡単な説明】
【００２０】
【図１】本願考案に係る装飾用発光置物１の外観構造を示す斜視図である。
【図２】装飾用発光置物１を平面方向から見た図である。
【図３】本体部材５の内部構造の概略を正面からみたＡ−Ａ断面図である。
【図４】本体部材５の内部構造の概略を左側面からみたＢ−Ｂ断面図である。
【図５】装飾用発光置物１の発光部１４の制御機構を表すブロック図である。
【図６】装飾用発光置物１の動作処理の流れを示すフローチャートである。
【考案を実施するための形態】
【００２１】
以下、本願考案に係る実施の形態を、図を参照しながら詳しく説明する。
【００２２】
図１は、本願考案に係る装飾用発光置物１の外観構造を示す斜視図である。装飾用発光置物１は、中央部分にくびれ部２と、くびれ部２から上方に向かって滑らかに拡径して形成された頭部３と、前記くびれ部２から下方に向かって滑らかに拡径して形成された胴部４とから構成される本体部材５、及び本体部材５の上端面を閉塞する蓋部６、さらに図２に示すように蓋部６の中央部表面において押下可能に設けられた電源スイッチ７カウントスイッチ８とを備えてなる。
【００２３】
装飾用発光置物１は卓上等に戴置して使用されるものであり、前記胴部４の下端面９は平面形状に形成され、当該下端面９を卓上当接させて装飾用発光置物１を載せることによって安定に戴置した状態で使用することができる。
【００２４】
また、本体部材５の下部からは電源コード１０が引き出されており、コンセント等（電源）１１から電力を得ることができる。なお、電源コード１０を備えずに本体部材５の内部にバッテリーなどの蓄電部を備え、当該蓄電部から電力を得ることができる構造であっても好ましく、このような蓄電部を備えた構造であれば装飾用発光置物１の使用場所を選ばずに使用することができる。
【００２５】
本体部材５の内部には、図３に示すように基板１２が本体部材５の下端部上に設置されることによって上下方向に立設されている。基板の正面１３には、ＬＥＤからなる発光部１４が複数配列して取り付けられている。基板１２は、図４に示すように基板の正面１３が本体部材５の周面と対面するように設置されているため、発光部１４から放射される光は本体部材５に内周面から入射し、本体部材５において乱反射しながら光の像を形成することができる。
【００２６】
ここで、本体部材５は発光部１からの放射光を乱反射させながら外部に透過可能な半透明性を有する樹脂からなることが好ましい。本体部材５が半透明性を有することによって、使用者は本体部材５の外部からは発光部１４の形状を直接見ることがなく、使用者には発光部１４から放射された光が本体部材５を形成する樹脂中を透過する間に乱反射しながら形成する光の像のみを見せることができるからである。また、本体部材５が半透明性であることによって、発光部１４から放射された光は図１の二点鎖線に示すように輪郭のぼやけた発光集合体１５を形成することができる。
【００２７】
発光集合体１５は隣接しあう発光部１４、１４から放射された光の区別をなくすことができる。従って、一定範囲内に配列された複数の発光部１４を同時に発光させた場合には使用者には本体部材５内に大きな発光集合体１５が貯留されているように見せることができる。
【００２８】
発光部１４は、本体部材５の内部に設置された制御部１６から受けた発光信号又は消光信号である電気信号によって発光、消光及び減光することができる。
【００２９】
また、本体部材５にはスピーカ１７も設置されており、制御部１６が発光部１４の発光モードを制御する処理段階において、スピーカ１７からブザーを鳴動させることができる。
【００３０】
以上の説明から、装飾用発光置物１の発光部１４の制御機構をブロック図で表すと図５のようになる。電源１１からは電源スイッチ７を介して制御部１６に電力を供給できるように接続されており、電源スイッチ７を押下することで制御部１６への電力供給のオンとオフを切替えることができる。カウンタースイッチ８は当該スイッチを押した回数を整数ｎとして制御部１６内の内部メモリ内に記憶させることができ、装飾用発光置物１は前記整数ｎの値に対応した計測時間の計測を行なうことができる。なお、整数ｎに対応した時間は、実用上分単位であることが好ましい。
【００３１】
制御部１６は、基板１２に配列された各発光部１４、１４と電気的に接続されており、発光信号によって発光部１４を発光させ、消光信号によって発光部１４を消光させることができる。また、制御部１６は、基板１２表面に配列して取り付けられた複数の発光部１４、１４のうち、発光させる領域、順番、及び発光時間等を制御することができる。
【００３２】
また、制御部１６はスピーカ１７とも接続されており、スピーカ１７から複数のパターンのブザー（本実施例においてはブザーＡ、及びブザーＢ）を鳴動させることができる。
【００３３】
基板１２は、頭部３に対応する基板上部１８、くびれ部２に対応する基板中央部１９、及び胴部４に対応する基板下部２０を有して上下方向に立設されている。
【００３４】
そして制御部１６が、初期状態において基板上部１８に配列された発光部１４を発光させておき、基板中央部１９に配列された発光部１４を介して基板下部２０に配列された発光部１４に順次点灯信号を送信すると共に、既に発光していた発光部１４には消光信号を送信して順次消光させることによって、使用者には発光集合体１５が本体部材５の内部を上から下に向かって落下する光る液滴２１であるかのように見せることができる。
【００３５】
基板上部１８に配列された複数の発光部１４を発光させると、本体部材５の外側から発光を見る使用者からは、発光集合体１５は頭部３の全体に貯留された一塊の頭部発光集合体２２として見える。一方、基板下部２０に配列された複数の発光部１４を発光させると、本体部材５の外側から発光を見る使用者からは、発光集合体１５は胴部４の全体に貯留された一塊の胴部発光集合体２３として見える。
【００３６】
制御部１６にはあらかじめ時間計測モードＭｔとデモモードＭｄとによって発光部１４の発光を制御する制御処理が記憶されている。
【００３７】
時間計測モードＭｔは、カウントスイッチ８を押すことによって使用者が設定した前記計測時間（ｎ分）を計測するモードである。時間計測モードＭｔが開始されると、制御部１６は当該計測時間に対応させて頭部発光集合体２２が下方に移動して全ての発光集合体１５が胴部発光集合体２３を形成するように発光部１４の発光を制御する。時間計測モードＭｔによって、頭部発光集合体２２が頭部３から光る液滴２１を落下させながら胴部４に胴部発光集合体２３が徐々に大きくなりながら貯留される様子は、使用者にあたかも光る水時計を見ているかのような美観を感じさせるだけでなく、使用者が設定した計測時間を実際に計測できるという実用的用途をも併せて発揮するものである。
【００３８】
デモモードＭｄは、電源スイッチ７を押して装飾用発光置物１を起動させた後、使用者が特になにも操作をしない場合などに起動するモードであり、制御部１６内にあらかじめ記憶されている発光パターンに従って発光部１４、１４を発光させるものである。従って、デモモードＭｄでは時間測定はできず、装飾用発光置物１は単なる発光する装飾置物として鑑賞等されるものである。
【００３９】
なお、電源スイッチ７とカウントスイッチ８は、蓋部６表面において電源スイッチ７が本体部材５の裏面側に位置し、カウントスイッチ８が本体部材５の正面側に位置するように配置されていることが好ましい。電源スイッチ７とカウントスイッチ８をこのように配置することにより、後に説明するカウントスイッチ８を複数回押下して計測時間を設定する作業を、カウントスイッチ８が直接見えない位置からでも正面から手を伸ばすだけで正確に行なうことができる。
【００４０】
次に、装飾用発光置物１の使用方法及び動作処理の流れを図６のフローチャートを参照しながら説明する。
【００４１】
使用者がステップＳＳ０１において卓上等に戴置した装飾用発光置物１の電源スイッチ７を押すと、制御部１４が作動し、ステップＳ０２により内部メモリにおいてカウントスイッチ８を押した回数に対応する整数ｎをｎ＝０として記憶し、初期状態となる。ここで、整数ｎは後に説明するカウントスイッチ８の押下回数に対応する数値であり、装飾用発光置物１は時間計測モードＭｔが開始されると整数ｎの値に対応したｎ分間の時間計測を、発光集合体１５を水時計の液滴のように変化させながら行う。
【００４２】
続いてステップＳ０３において、ブザーＡをスピーカ１７から鳴動させ、使用者に初期状態であることを知らせる。
【００４３】
ブザーＡの鳴動終了後、ステップＳ０４において制御部１４がｔ１秒のカウントを開始し、使用者がカウントスイッチを押さずにｔ１秒が経過すると制御部１４はステップＳ０５の処理を開始し、デモモードＭｄを起動させる。ここで、ｔ１秒は任意の時間でよいがあまり長い時間とすると初めからデモモードＭｄの起動を希望している使用者に装飾用発光置物１が何ら動作しない状態で待たせすぎることとなるため、１〜１０秒の範囲内に設定することが好ましい。特に、電源スイッチ７からカウントスイッチ８に余裕を持って移動させることができる３秒に設定することが好ましい。
【００４４】
ステップＳ０５の処理によってデモモードＭｄが起動している間に使用者がカウントスイッチ８を押すと、ステップＳ０６においてカウントスイッチ８が押下されたことが認識されて、ステップＳ０８の処理により時間計測モードＭｔが開始される。一方、ステップＳ０５で起動されたデモモードＭｄにおいて使用者がカウントスイッチ８を押下しなければステップＳ０８に進むことは無くデモモードＭｄは起動を継続し、使用者が電源スイッチ７を再度押すことでステップＳ１９の処理がされ、デモモードＭｄが終了すると共に装飾用発光置物１の動作が停止する。
【００４５】
ステップＳ０４において、ｔ１秒が経過する前に使用者がカウントスイッチ８を押した場合にはステップＳ０７として処理がなされ、ステップＳ０８によるタイマーモード開始処理が行われる。
【００４６】
時間計測モードＭｔが開始されると、ステップＳ０９において内部メモリに記憶されたｎの値が１に設定され、続いてステップＳ１０において整数ｎの値が０より大きく１０以下の範囲の値であるかどうかの判断処理が行われる。なお、上限が１０であることは一例であり、ステップＳ０９において判断される上限は１０よりも大きい値であっても好ましい。
【００４７】
整数ｎの値が０より大きく１０以下であった場合にはステップＳ１１においてｔ２秒のカウントが行われる。ｔ２秒以内にカウントスイッチ８が再度押された場合にはステップＳ１２として処理がなされ、ステップＳ１３において内部メモリに記憶された整数ｎの値をｎ＝ｎ＋１とする処理が行われ、ステップＳ１０の前段階へとループ処理がなされる。
【００４８】
ここで、ｔ２秒は６０秒よりも短い時間のうち任意の時間でよい。ｔ２秒が６０秒以上であると、カウントスイッチ８を押した後１分以上経過してもカウント開始処理（ステップＳ１４）が始まらず、使用者が１分間の時間計測を行いたい時に計測ができないという不都合が生じるからである。なお、前記ｔ１秒とｔ２秒を同じ時間に設定しておくと、ボタンを押すことができる全ての猶予時間を同じとすることができ、使用者にとって感覚的に猶予時間の把握がし易くなるので好ましい。
【００４９】
使用者は、カウントスイッチ８を押すたびにｔ２秒以内に再度カウントスイッチ８を押すことで整数ｎの値を一つずつ大きくすることができ、時間計測モードＭｔで測定される時間の長さを設定することができる。そして、使用者が整数ｎが１から１０のうち望む値に設定できた場合にはカウントスイッチ８を押すことを止めてｔ２秒が経過するのを待つとステップＳ１４によりｎ分の時間計測が開始される。
【００５０】
一方、使用者がカウントスイッチ８を１０回よりも多い回数押した場合には整数ｎが１０よりも大きくなるため、ステップＳ１０においてｎの値が１０以下であるとは判断されず、ステップＳ０２の処理へと戻る。
【００５１】
ステップＳ１４において時間計測開始処理がされると制御部１６はｎ＊６０−ｔ２秒の時間計測を開始する。これにより、使用者が最後にカウントスイッチ８を押した直後からｎ分間の計測をすることができる。
【００５２】
ステップＳ１６においてｎ＊６０−ｔ２秒の時間計測が終了すると時間計測完了処理がなされステップＳ１７の処理において時間計測モードＭｔが終了される。そしてステップＳ１８の処理においてスピーカ１７からブザーＢが鳴動される。
【００５３】
使用者は、装飾用発光置物１の動作の停止を行う時は、電源スイッチ７を押すことによってステップＳ１９の処理がなされ、装飾用発光置物１の動作を停止させることができる。
【００５４】
一方、ステップＳ１４において時間計測処理が開始された後、ｎ＊６０−ｔ２秒が経過する前に使用者がカウントスイッチ８を押した場合には、ステップＳ１５においてカウントスイッチ８の押下が認識されて時間計測を中断させることができる。この場合、処理はステップＳ０２へと戻り、再度計測時間（整数ｎ）の設定をやり直すことができる。
【符号の説明】
【００５５】
１    装飾用発光置物
２    くびれ部
３    頭部
４    胴部
５    本体部材
７    電源スイッチ
８    カウントスイッチ
１２  基板
１４  発光部
１５  発光集合体
１６  制御部
１８  上幅広部
１９  下幅広部
２０  幅狭部
２１  光る液滴
２２  頭部発光集合体
２３  胴部発光集合体
【図１】
0003179467.tif 000003
【図２】
0003179467.tif 000004
【図３】
0003179467.tif 000005
【図４】
0003179467.tif 000006
【図５】
0003179467.tif 000007
【図６】
0003179467.tif 000008